(57)【要約】動物のしつけ装置は、起動手段と給餌器（１２）との組み合わせからなる。起動手段は検知器（７）を有し、食べ物すなわち褒美のおやつをいれる容器（２４）を備えた給餌器（１２）の給餌機構の一部を形成する電気モータ（３４）を備えた電気回路内にあって検知器がスイッチとして作用する。検知器（７）の作動により給餌機構が一定量の食べ物すなわち褒美のおやつを容器（２４）から排出する。給餌器の容器（２４）は縦型で、蓋（２６）で閉じることができるオープントップを有し、容器（２４）の底部は給餌機構と連通している。
2004507257.tif 000002
【特許請求の範囲】
【請求項１】
起動手段と給餌器との組み合わせからなる動物しつけ装置であって、前記起動手段は検知器を有し、食べ物すなわち褒美のおやつを入れる容器を備えた前記給餌器の給餌機構の一部を形成する電気モータを備えた電気回路内にあって前記検知器がスイッチとして作用し、その検知器の作動により給餌機構が一定量の食べ物すなわち褒美のおやつを容器から排出することを特徴とする動物しつけ装置。
【請求項２】
前記給餌器の容器は縦型で、蓋で閉じることができるオープントップを有し、容器の底部は給餌機構に連通している請求項１記載の装置。
【請求項３】
容器は１つ以上の内部傾斜ガイドプレートを有し、食べ物すなわち褒美のおやつの流れを容器内部で方向づけて給餌機構に導く請求項１あるいは２記載の装置。
【請求項４】
容器は長方形の断面を有する請求項３記載の装置。
【請求項５】
給餌機構は可撓性を有する素材からなる細長いトレイであり、その裏面に電気モータが取り付けられ、その電気モータが通電するとトレイに振動が伝わると共に、前記トレイはその一端が容器の一側面に固定され他端が支柱に支持されている請求項１から４のいずれか１つ記載の装置。
【請求項６】
支柱に支持されたトレイの端部は排出端であり、他端が固定されている容器側面に向かって上方に傾斜したトレイ縁を有する請求項５記載の装置。
【請求項７】
２枚の傾斜ガイドプレートは、一方が他方の上にくるよう容器内に設けられ、これらのプレートが対向するそれぞれの側から内側に伸びているので、容器内への物の流れは、上部ガイドプレートから下部ガイドプレート上へと下方に向かってトレイ上に導かれる請求項３から６のいずれか１つ記載の装置。
【請求項８】
前記装置はトイレしつけ用であり、前記起動手段は液体や排泄物を収容する集水装置を備え、検知器は湿気や温度により作動する前記請求項のいずれか１つ記載の装置。
【請求項９】
集水装置は、防水ボトムシートと、前記ボトムシート全体の一部を覆って敷かれた吸水性パッドと、前記パッドを覆う透水性のトップシートからなるマットを有する請求項８記載の装置。
【請求項１０】
検知器は、トップシート上に設けられ、迷路状に入り組んだ金属箔配列からなり、前記配列の異なる極性の金属箔間に液体が及ぶと通電する請求項９記載の装置。
【請求項１１】
集水装置は、底部と直立した壁面周囲とを有するトレイであり、前記周囲は上方に底部とほぼ平行な空間を取った棚状部をその一部として含み、前記棚状部が底部を覆う範囲にまたがるプラットホームを支持すると共に、前記プラットホームが多孔性織物をその上に有する金属格子であって、尿を通してその下の集水空間に移動させる請求項８記載の装置。
【請求項１２】
検知器の一部として、トレイの底部はこれに付着させた薄い金属箔で覆われており、金属格子は検知器の第二の構成要素を形成している請求項１１記載の装置。
【請求項１３】
前記しつけ装置は動物の行儀や振る舞いを正すためのものであり、前記起動手段は音声作動式か無音作動式である請求項１から７のいずれか１つ記載の装置。
【請求項１４】
実質的には添付図面の図１、図２、図５および図６、または図３、図４、図５および図６に関して記載するしつけ装置。
【発明の詳細な説明】
【０００１】
本発明は、特に犬用のしつけ装置であるが、犬のみに限定されるわけではなく、例えば、家で飼われている動物のトイレや態度のしつけ、またはそれら動物の振る舞いを操作するための動物しつけ装置に関するものである。
【０００２】
従って、本発明は、起動手段と給餌器との組み合わせからなる動物しつけ装置である。起動手段は検知器を有し、食べ物すなわち褒美のおやつを入れる容器を備えた給餌器の給餌機構の一部を形成する電気モータを備えた電気回路内にあって検知器がスイッチとして作用し、その検知器の作動により給餌機構が一定量の食べ物すなわち褒美のおやつを容器から排出する。
好ましくは、給餌器の容器は縦型で、蓋で閉じることができるオープントップを有し、容器の底部が給餌機構に連通している。また、食べ物すなわち褒美のおやつの流れを容器内部で方向づけて給餌機構に導くように、容器は１つ以上の内部傾斜ガイドプレートを有するのが好ましい。さらに、容器は長方形断面を有するのが望ましい。
さらに好ましくは、給餌機構は可撓性を有する素材からなる細長いトレイであり、その裏面に電気モータが取り付けられ、その電気モータが通電するとトレイに振動が伝わると共に、前記トレイはその一端が容器の一側面に固定され他端が支柱に支持されている。支柱に支持されたトレイの端部は排出端であり、他端が固定されている容器側面に向かって上方に傾斜したトレイ縁を有するのが望ましい。２枚の傾斜ガイドプレートは、一方が他方の上に来て互いに役立ちあうよう容器内に設けられる。これらのプレートは対向するそれぞれの側から内側に伸びているので、容器内への物の流れは、上部ガイドプレートから下部ガイドプレート上へと下方に向かってトレイ上に導かれる。
【０００３】
さらに好ましくは、当しつけ装置はトイレしつけ用であり、起動手段は液体や排泄物を収容する集水装置を備え、検知器は湿気や温度により作動する。集水装置は、防水ボトムシートと、防水ボトムシート全体の一部を覆って敷かれた吸水性パッドと、パッドを覆う透水性のトップシートからなるマットを有するのが好ましい。検知器は、トップシート上に設けられ、迷路状に入り組んだ金属箔配列からなり、配列の異なる極性の金属箔間に液体が及ぶと通電する。
あるいは、集水装置が底部と直立した壁面周囲とを有するトレイであってもよい。この場合、壁面周囲は上方に底部とほぼ平行な空間を取った棚状部をその一部として含み、棚状部が底部を覆う範囲にまたがるプラットホームを支持すると共に、プラットホームが多孔性織物をその上に有する金属格子であって、尿を通してその下の集水空間に移動させる。さらに、検知器の一部として、トレイの底部はこれに付着させた薄い金属箔で覆われており、金属格子が検知器の第二の構成要素を形成するのが望ましい。
あるいは、当しつけ装置が行儀や振る舞いを正すためのものであってもよく、その場合、起動手段は音声作動式か無音作動式であってもよい。
以下、添付図面を参照して本発明の実施形態を例証する。
【０００４】
図面の図１および図２を参照して説明すると、ペットのトイレしつけ装置の第一の実施形態は、起動手段と給餌器１２との組み合わせからなる。この起動手段は、液体や排泄物を収容する集水装置と、湿気や温度により作動する検知器とを有する。集水装置は、防水ボトムシート４と、防水ボトムシート全体の一部を覆って敷かれた吸水性パッド６と、前記パッドを覆う透水性のトップシート８からなるマット２である。検知器は、給餌器１２の給餌機構の一部を形成する電気モータを備えた電気回路（図示せず）内にある。検知器７はスイッチとして作用し、トップシート８上に設けられ、迷路状に入り組んだ二列の金属箔配列９からなる。金属箔の各列は互いに異なる極性を有しており、配列の異なる極性の金属箔列間に液体が及ぶと通電して給餌機構を作動する。
【０００５】
図面の図３から図５を参照して説明すると、ペットのトイレしつけ装置の第二の実施形態は、液体や排泄物を収容する集水装置が長方形の集水トレイ１０の形をとる起動手段と給餌器１２との組み合わせからなる。トレイ１０は底部１４と直立した壁面周囲１６とを有する。壁面周囲１６は上方に底部１４とほぼ平行な空間を取った棚状部１８をその一部として含む。トレイ１０はプラスティック材料から鋳造により作られる。
棚状部１８は底部１４を覆う範囲にまたがるプラットホーム２０を支持する。さらに、湿気や温度により作動する二部構成の検知器が、給餌器１２の給餌機構の一部を形成する電気モータ３４を備えた電気回路（図示せず）内に設けられる。プラットホーム２０はステンレス鋼製の格子２１であり、格子上には多孔性織物２３が取り外し可能に固定されており、織物２３が尿を通してその下の集水空間に移動させる。検知器の一部として、底辺のトレイ１０はこれに付着させた薄い金属箔で覆われており、金属格子２１が検知器の第二の構成要素を形成する。ここで、織物２３は洗濯のために取り外し可能なものである。
【０００６】
両実施形態に共通な点は、給餌器１２がマット２あるいはトレイ１０に配置されるか、あるいはその付近に配置されると共に、分配ボウル２２がマット２またはトレイ１０から届く範囲に置かれている事である。そして、尿の湿気や温度によって検知器が作動すると、給餌機構が一定量の食べ物すなわち褒美のおやつを給餌器１２からボウル２２に排出する。給餌器１２は、断面が長方形でその内部を流れる食べ物２８すなわち褒美のおやつを入れる縦型の容器２４を有する。容器２４は、蓋で閉じることができるオープントップを有すると共に給餌機構に連通している。容器２４の底部３０は、出口および分配ボウル２２に向かって下方に傾斜している。図示した一体型ボウルの代わりに、一般的な動物用フードボウル等、別体の分配ボウルを用いてもよい。さらに、容器２４は二枚の内部傾斜ガイドプレートを有し、食べ物すなわち褒美のおやつの流れを容器内部で方向づけて給餌機構に導く。
【０００７】
給餌機構は可撓性を有する素材からなる細長いトレイ３８であり、その裏面に電気モータ３４が取り付けられ、その電気モータが通電するとトレイ３８に振動が伝わる。トレイ３８はその一端が容器２４の一側面に固定され他端が不動の棒状支柱４０に支持されている。支柱４０に支持されたトレイ３８の端部は排出端であり、他端が固定されている容器２４の側面に向かって上方に傾斜したトレイ縁４２を有する。そして、二枚のガイドプレート４４および４６が、一方が他方の上に来て互いに反対方向に傾斜するよう容器２４の内部に設けられ、これらのプレートが対向するそれぞれの側から内側に伸びているので、容器２４内への物の流れ、つまり食べ物すなわち褒美のおやつは、上部ガイドプレート４４から下部ガイドプレート４６上へと下方に向かってトレイ３８上に導かれる。この食べ物はトレイ縁４２の裏側で捕捉され一定量蓄積する。そしてモータ３４が振動を起こすと、その量の分の食べ物がトレイ縁を越えて排出される。モータの通電時間のタイミングを計ることにより、かなり正確な量の食べ物すなわち褒美のおやつを排出することができる。タイミング機構は検知器に組み込まれる。ここで、トレイ縁４２は、食べ物すなわち褒美のおやつがガイドプレート４４および４６から定量以上流れ落ちて補給される場合にあってもトレイに余分に落ちるのを防ぐ働きがある。
【０００８】
犬すなわち子犬はとりわけ尿の「臭い」に反応を示し、通常自身の尿の臭いや他の尿のにおいを探し出してから排尿する。したがって、家内においては、これまで居住者が台所や洗濯室の隅に新聞紙を敷いて置いたりしたかもしれないが、これは散らかってしまって厄介である。上述した本発明は、臭いによって犬すなわち子犬の気を引くだけでなく、犬すなわち子犬がマット２またはトレイ１０で排尿するたびに食べ物すなわち褒美のおやつを与えることによっても犬すなわち子犬の気を引くという利点があり、居住者および動物双方にとってさらに魅力のあるものである。本構成では、検知器の二部に分かれた構成要素間にわたって尿が流れると、接触が起きてモータ３４が通電し給餌機構を作動して一定量の食べ物すなわち褒美のおやつを排出させる。
しつけ装置のさらなる実施形態においては、吠えるべきでない時に吠え、吠えるべき時に吠えないといった動物の振る舞いを正すための装置が提供される。これら実施形態における起動手段は、音声作動式か無音作動式である検知器を必要とする。個々の必要条件はその装置を前もって設定する際に決定される。
さらに、上述し特許請求の範囲に記載した本発明の範囲を逸脱することなくその他変形や変更も可能である。
【図面の簡単な説明】
【図１】本発明の第一の実施形態に係わるペットのトイレしつけ装置の起動手段の断面図である。
【図２】図１に示した起動手段の平面図である。
【図３】本発明の第二の実施形態に係わるペットのトイレしつけ装置の起動手段の断面図である。
【図４】図３に示した装置の給餌器の側面図ある。
【図５】起動手段および給餌器を示した平面図である。
【図６】給餌器の縦断面図である。
【符号の説明】
２　マット　　　　　４　防水ボトムシート　　６　吸水性パッド
７　検知器　　　　　８　トップシート　　　　９　金箔配列
１０　集水トレイ　　１２　給餌器　　　　　　２０　プラットホーム
２１　格子　　　　　２２　ボウル　　　　　　２３　多孔性織物
２４　容器　　　　　２８食べ物　　　　　　　３４　電気モータ
３８　トレイ　　　　４０　支柱　　　　４４、４６　ガイドプレート
【図１】
2004507257.tif 000003
【図２】
2004507257.tif 000004
【図３】
2004507257.tif 000005
【図４】
2004507257.tif 000006
【図５】
2004507257.tif 000007
【図６】
2004507257.tif 000008
【国際公開パンフレット】
2004507257.tif 000009
2004507257.tif 000010
2004507257.tif 000011
2004507257.tif 000012
2004507257.tif 000013
2004507257.tif 000014
2004507257.tif 000015
2004507257.tif 000016
2004507257.tif 000017
2004507257.tif 000018
2004507257.tif 000019
2004507257.tif 000020
2004507257.tif 000021
【国際公開パンフレット（コレクトバージョン）】
2004507257.tif 000022
2004507257.tif 000023
【国際調査報告】
2004507257.tif 000024
2004507257.tif 000025
2004507257.tif 000026